(57)【要約】【課題】位置決め機能を有すると共にワンタッチで取り付けることができるウエイブスプリングを提供する。【解決手段】帯状の金属材料もしくは金属相当の弾性と強度を有する非金属材料をコイル状に複数巻きにしたスプリングにおいて、各１巻き中に複数の山と谷を交互に形成したウエイブ部１ａと、ほぼ１巻き又は連続する複数巻きがウエイブを有さないフラット部１ｂから成り、該フラット部１ｂの外径が上記ウエイブ部１ａの外径より大きいか、あるいは、該フラット部１ｂの内径が上記ウエイブ部１ａの内径より小さくなるように構成される。【選択図】        図１
2004225880.tif 000002
【特許請求の範囲】
【請求項１】
帯状の金属材料もしくは金属相当の弾性と強度を有する非金属材料をコイル状に複数巻きにしたスプリングにおいて、各１巻き中に複数の山と谷を交互に形成したウエイブ部と、ほぼ１巻き又は連続する複数巻きがウエイブを有さないフラット部から成り、該フラット部の外径が上記ウエイブ部の外径より大きいことを特徴とするウエイブスプリング。
【請求項２】
帯状の金属材料もしくは金属相当の弾性と強度を有する非金属材料をコイル状に複数巻きにしたスプリングにおいて、各１巻き中に複数の山と谷を交互に形成したウエイブ部と、ほぼ１巻き又は連続する複数巻きがウエイブを有さないフラット部から成り、該フラット部の内径が上記ウエイブ部の内径より小さいことを特徴とするウエイブスプリング。
【請求項３】
上記フラット部がスプリングの端部または中間部に位置することを特徴とする請求項１または２に記載のウエイブスプリング。
【請求項４】
上記ウエイブ部とフラット部が、部分的にオーバーラップしていることを特徴とする請求項１、２または３に記載のウエイブスプリング。
【発明の詳細な説明】
【０００１】
【発明の属する技術分野】
本発明は、ウエイブスプリング、特にフラットリング付きウエイブスプリングに関する。
【０００２】
【従来の技術】
従来のウエイブスプリングとしては、例えば、特開平６−２８０９１２号公報に開示されているように、コイルの１周当たりに所定個数の山部と谷部を円周方向に沿って所定ピッチで配設し、隣接するコイル層間で山部の上端と谷部の下端を対向させるように形成された波形ばねがあった。
また、実開平６−８４０３７号公報に開示されているように、コイル巻き方向にウエイブをかけた圧縮コイルバネにおいて、少なくとも一端部を平面状に形成したものがあった。
【０００３】
【発明が解決しようとする課題】
しかしながら、上記従来のウエイブスプリングは、これを軸方向あるいは穴方向の所定位置に取り付ける場合、軸または穴に形成された溝に、位置決め用のストップリングを挿入し、その後、ウエイブスプリングを挿入していた。このように、上記従来のウエイブスプリングには、自分自身を軸や穴に位置決めする機能がないため、ウエイブスプリングの他にストップリング等の別の部品を必要とし、また、組み付けも２度の挿入操作をしなければならないため、取り付けに手間と時間がかかる等の問題点があった。
【０００４】
本発明は、上記従来の問題点を解決するためになされたもので、その目的とするところは、位置決め機能を有すると共にワンタッチで取り付けることができるウエイブスプリングを提供することにある。
【０００５】
【課題を解決するための手段】
本発明のウエイブスプリングは、帯状の金属材料もしくは金属相当の弾性と強度を有する非金属材料をコイル状に複数巻きにしたスプリングにおいて、各１巻き中に複数の山と谷を交互に形成したウエイブ部と、ほぼ１巻き又は連続する複数巻きがウエイブを有さないフラット部から成り、該フラット部の外径が上記ウエイブ部の外径より大きいことを特徴とする。
また、帯状の金属材料もしくは金属相当の弾性と強度を有する非金属材料をコイル状に複数巻きにしたスプリングにおいて、各１巻き中に複数の山と谷を交互に形成したウエイブ部と、ほぼ１巻き又は連続する複数巻きがウエイブを有さないフラット部から成り、該フラット部の内径が上記ウエイブ部の内径より小さいことを特徴とするものである。
さらに、上記フラット部がスプリングの端部または中間部に位置することを特徴とする。
また更に、上記ウエイブ部とフラット部が、部分的にオーバーラップしていることも特徴とする。
【０００６】
【発明の実施の形態】
以下、本発明の実施の形態について、図面を参照しながら説明する。
図１において、１は穴用のフラットリング付きウエイブスプリングであって、ウエイブ部１ａとフラット部１ｂから構成されており、基本的には、断面が矩形あるいはこれに近い形状の扁平帯状の金属材料もしくは金属相当の弾性と強度を有する非金属材料をコイル状に複数巻きにしたスプリングである。上記金属材料としては、例えば、ＳＷＲＨ７２Ｂ、ＳＵＳ６３１Ｊ１等が挙げられる。
また、非金属材料としては、例えば、ウィスカー入プラスチック材等が挙げられる。
【０００７】
上記ウエイブ部１ａは、複数巻きのうち各１巻き中に複数の山と谷を交互に形成している。すなわち、コイル巻き方向に一定の周期のウエイブ（波形）が形成されていて、上段のウエイブの谷底部と、下段のウエイブの山頂部とは相互に接触している。該ウエイブ部１ａの複数巻きの径はほぼ均一となっている。なお、ウエイブの波長の大きさは、上記山谷の接触条件を満足する範囲内で自由に選択することができる。
【０００８】
また、上記フラット部１ｂは、ほぼ１巻き又は連続する複数巻きがウエイブを有さない平面となっている。すなわち、このフラット部１ｂの平面は、本ウエイブスプリング１の軸方向（圧縮方向）に対して直交する面である。該フラット部１ｂの外径は、上記ウエイブ部１ａの外径より大きくなっている。このフラット部１ｂは、上記ウエイブ部１ａの巻き端部あるいは中間部のいずれに位置してもよい。なお、上記ウエイブ部１ａとフラット部１ｂは、部分的にオーバーラップしている。
【０００９】
上記実施例の穴用のフラットリング付きウエイブスプリング１は、以上のように構成されているので、図２に示すように、上記フラット部１ｂの外縁周部を、例えば、シリンダのような取付部材Ｐの穴Ｈに形成されたリング状の溝Ｍ１に、嵌め込むことにより、ワンタッチで取り付けることができ、また、同時に位置決めすることができる。
【００１０】
図３は、本発明の別の実施例を示すもので、軸用のフラットリング付きウエイブスプリング２である。本ウエイブスプリング２も、上記実施例のウエイブスプリング１と同様にウエイブ部２ａとフラット部２ｂから構成されている。上記図１の実施例と相違するところは、ウエイブスプリング１のフラット部１ｂの外径が、ウエイブ部１ａの外径より大きくなっているのに対して、図３からも明らかなように、本実施例のフラット部２ｂの内径が、上記ウエイブ部２ａの内径より小さくなっていることである。このフラット部２ｂは、上記ウエイブ部２ａの巻き端部あるいは中間部のいずれに位置してもよい。なお、上記ウエイブ部２ａとフラット部は、部分的にオーバーラップしている。
【００１１】
従って、本実施例の軸用のウエイブスプリング２は、図４に示すように、上記フラット部２ｂの内縁周部を、例えば、工作機械の主軸や車軸のような軸状部材Ｓの外周面に形成されたリング状の溝Ｍ２に、嵌め込むことにより、ワンタッチで取り付けることができ、また、同時に位置決めすることができる。
【００１２】
上述の実施例では、フラット部１ｂまたは２ｂが、ウエイブ部１ａまたは２ａの端部、すなわちスプリング１または２の端部に位置しているが、本発明はこれに限定するものではなく、図５に示すように、スプリング３すなわちウエイブ部３ａの中間部にフラット部３ｂを位置させてもよい。この場合、両側のウエイブ部３ａの巻き数は同じでなくてもよい。
【００１３】
【発明の効果】
１）フラットリング付きウエイブスプリングのフラット部の外縁あるいは内縁をウエイブ部より外側あるいは内側に突設させて、該フラット部の外縁周部または内縁周部を、取付部材の穴や軸に形成したリング状の溝に嵌め込むだけで、上記フラット部がストップリング（リテイニングともいう）の位置決め機能を有すると共に、スプリングをワンタッチで取り付けることができる。
２）ウエイブ部とフラット部が、部分的にオーバーラップするように構成することにより、ウエイブスプリングのバネ機能を効果的に発揮させることができる。
【図面の簡単な説明】
【図１】本発明のフラットリング付きウエイブスプリングの一実施例を示す平面図（Ａ）および側面図（Ｂ）である。
【図２】図１のフラットリング付きウエイブスプリングの取り付け例を示す説明図である。
【図３】本発明のフラットリング付きウエイブスプリングの別の実施例を示す平面図（Ａ）および側面図（Ｂ）である。
【図４】図３のフラットリング付きウエイブスプリングの取り付け例を示す説明図である。
【図５】フラット部をスプリングの中間部に位置せしめた更に別の実施例を示す側面図である。
【符号の説明】
１    穴用のフラットリング付きウエイブスプリング
１ａ  ウエイブ部
１ｂ  フラット部
２    軸用のフラットリング付きウエイブスプリング
２ａ  ウエイブ部
２ｂ  フラット部
３  穴用のフラットリング付きウエイブスプリング
３ａ  ウエイブ部
３ｂ  フラット部
Ｍ１、Ｍ２  溝
【図１】
2004225880.tif 000003
【図２】
2004225880.tif 000004
【図３】
2004225880.tif 000005
【図４】
2004225880.tif 000006
【図５】
2004225880.tif 000007